(57)【要約】【課題】  前方へのはみ出しを低減した表示装置および表示装置用スタンドを提供する。【解決手段】  実施形態に係る表示装置は、表示装置本体と、主面と、前方側の第１の辺と、後方側の第２の辺と、を有する板状の台座と、前記主面上に固定され、前記表示装置本体を支持する支柱と、前記主面上の前記支柱より後方に、前後に移動可能に固定される錘と、を具備する。【選択図】図３
2018112680.tif 000002
【特許請求の範囲】
【請求項１】
表示装置本体と、
主面と、前方側の第１の辺と、後方側の第２の辺と、を有する板状の台座と、
前記主面上に固定され、前記表示装置本体を支持する支柱と、
前記主面上の前記支柱より後方に、前後に移動可能に固定される錘と、
を具備する表示装置。
【請求項２】
前記錘が前後に長い長孔、前後に並んで配置される複数の孔の少なくともいずれかを有する
請求項１に記載の表示装置。
【請求項３】
前記表示装置本体の前方への前記台座のはみ出しの量が、前記表示装置本体の後方への前記台座のはみ出しの量より、小さい
請求項１または２に記載の表示装置。
【請求項４】
前記錘が、並んで配置され、互いに独立に前後に移動可能に固定される第１、第２の部材を有する
請求項１乃至３のいずれか１項に記載の表示装置。
【請求項５】
前記錘が、第１の板状部材と、この第１の板状部材上に配置される第２の板状部材と、を有する
請求項１乃至４のいずれか１項に記載の表示装置。
【請求項６】
前記第２の板状部材が、前記第１の板状部材より軽い
請求項５に記載の表示装置。
【請求項７】
前記第２の板状部材が、前記第１の板状部材より前後に短い
請求項５または６に記載の表示装置。
【請求項８】
前記第１の板状部材が、前記台座に固定され、前記第２の板状部材が前後に移動可能に固定される
請求項５乃至７のいずれか１項に記載の表示装置。
【請求項９】
前記錘を覆う錘カバー
をさらに具備する請求項１乃至８のいずれか１項に記載の表示装置。
【請求項１０】
前記表示装置本体の下に配置され、前記錘の前端部を覆う足回りカバー
をさらに具備する請求項９に記載の表示装置。
【請求項１１】
主面と、前方側の第１の辺と、後方側の第２の辺と、を有する板状の台座と、
前記主面上に固定され、表示装置を支持する支柱と、
前記主面上の前記支柱より後方に、前後に移動可能に固定される錘と、
を具備する表示装置用スタンド。
【請求項１２】
異なる大きさの表示装置に利用できる
請求項１１に記載の表示装置用スタンド。
【発明の詳細な説明】
【技術分野】
【０００１】
本発明の実施形態は，表示装置および表示装置用スタンドに関する。
【背景技術】
【０００２】
テレビ等の表示装置は、一般に縦横に対して奥行きが小さい平面型の形状を有する。このような表示装置を設置するためにスタンドが用いられる。スタンドを用いることで、平面型の表示装置を垂直に近い状態（略正立）で設置して、その画面を視認できる。
【０００３】
ここで、平面型の表示装置を安定に保持するには、表示装置の前後にスタンドが幅（奥行き）を有することが好ましい。
しかしながら、スタンドの幅が大きくなると、表示装置の前後にスタンドが大きくはみ出ることになり、美観およびスペースの有効活用の観点から好ましくない。
【先行技術文献】
【特許文献】
【０００４】
【特許文献１】特開２０１３−２５１６０号公報
【特許文献２】特開２００９−２３７４９７号公報
【特許文献３】特開２００８−２４４６１８号公報
【発明の概要】
【発明が解決しようとする課題】
【０００５】
本発明は，前方へのはみ出しを低減した表示装置および表示装置用スタンドを提供することを目的とする。
【課題を解決するための手段】
【０００６】
実施形態に係る表示装置は、表示装置本体と、主面と、前方側の第１の辺と、後方側の第２の辺と、を有する板状の台座と、前記主面上に固定され、前記表示装置本体を支持する支柱と、前記主面上の前記支柱より後方に、前後に移動可能に固定される錘と、を具備する。
【図面の簡単な説明】
【０００７】
【図１】実施形態に係る表示装置を表す正面図である。
【図２】実施形態に係る表示装置を表す側面図である。
【図３】実施形態に係る表示装置用スタンドを正面側から見た状態を表す分解斜視図である。
【図４】実施形態に係る表示装置用スタンドを背面側から見た状態を表す斜視図である。
【図５】実施形態に係る表示装置の断面を表す断面図である。
【図６】実施形態に係る表示装置用スタンドを背面側から見た状態を表す斜視図である。
【図７】実施形態に係る表示装置の断面を表す断面図である。
【図８】変形例に係る表示装置用スタンドを背面側から見た状態を表す斜視図である。
【発明を実施するための形態】
【０００８】
以下，図面を参照して，実施形態を詳細に説明する。図１、図２は、実施形態に係る表示装置を表す正面図および側面図である。図３は、実施形態に係る表示装置用スタンドを正面側（前方Ｆ側）から見た状態を表す分解斜視図である。図４は、実施形態に係る表示装置用スタンドを背面側（後方Ｂ側）から見た状態を表す斜視図である。図５は、実施形態に係る表示装置の断面を表す断面図である。
【０００９】
ここで、後述の表示装置本体１０の正面側の方向Ｆ（表示素子１３の画面を視認できる方向）を前方Ｆとし、背面側の方向Ｂ（方向Ｆと逆方向）を後方Ｂとする。前後は、方向Ｆ、Ｂの双方を含む方向である。
【００１０】
図１、図２に示すように，実施形態に係る表示装置は，表示装置本体１０およびスタンド２０を有する。
【００１１】
表示装置本体１０は、例えば、平面型の表示装置（テレビ等）であり、スタンド２０上に垂直に近い状態（略正立）で設置される。正確には、表示装置本体１０は、ユーザによる視聴を容易とするため、やや後方Ｂ斜め方向（例えば、垂直に対する角度θ＝２°程度）に傾いている。
【００１２】
表示装置本体１０は、複数の大きさ（例えば、５８インチ、６５インチ）を採用できる。後述のように、スタンド２０の錘２３を可動とすることで、表示装置本体１０の大きさ（重さ）の変更に対応して、安定的な保持が可能となる。
【００１３】
表示装置本体１０は、フロント・ベゼル１１，バック・ベゼル１２，表示素子１３，回路ユニット１４、スピーカユニット１５を有する。
【００１４】
フロント・ベゼル１１，バック・ベゼル１２は、表示素子１３を前後から収容する外殻である。フロント・ベゼル１１は、表示素子１３の画面を視認するための窓（開口）を有する。
表示素子１３は、平面型の表示素子、例えば、液晶表示素子、有機ＥＬ素子である。
回路ユニット１４は、表示素子１３に種々の映像を表示するための、電源回路、チューナ、表示制御回路等を有する。回路ユニット１４には、電力、映像信号等を供給するためのケーブル類が接続される。
スピーカユニット１５は、音声の出力機構（例えば、スピーカ）を有する。
【００１５】
スタンド２０は、表示装置本体１０を固定、支持するための機構であり、図３〜図５に示すように、台座２１，支柱２２，錘２３，足回りカバー２４、錘カバー２５，ケーブルカバー２６，取手２７を有する。
【００１６】
台座２１は、略矩形の平板形状を有し、例えば、鉄などの金属から構成できる。台座２１は、上面（主面）、下面、前辺（前方Ｆ側の辺：第１の辺）、後辺（後方Ｂ側の辺：第２の辺）、左辺、および右辺を有する。
【００１７】
台座２１は、表示装置本体１０の正面側（前方Ｆ側）のはみ出し（突出）の量Ｌ１が背面側（後方Ｂ側）のはみ出しの量Ｌ２より小さい。この結果、スタンド２０の前方Ｆでの空間の効率的利用および美観が向上する。後述のように、台座２１の後方Ｂに錘２３が配置されることで、台座２１の前方Ｆへのはみ出しを低減しても、表示装置本体１０を安定的に保持することが可能となる。
【００１８】
場合によっては、表示装置本体１０の前方Ｆへの台座２１のはみ出しを不要とすることもできる（フロント・ベゼル１１よりも後方にのみ台座２１を配置する）。このようにすると、表示装置周りの空間の利用効率および美観が大きく向上する。いずれにしても、表示装置本体１０が５８インチ、６５インチ（あるいはそれ以上）の場合でも正面側のはみ出しの量Ｌ１を６０ｍｍ以下（より好ましくは３０ｍｍ以下、さらに好ましくは１５ｍｍ以下）とすることができる。
【００１９】
なお、表示装置本体１０の下に足回りカバー２４が配置されていることから、台座２１のはみ出しは足回りカバー２４からのはみ出しとほぼ同一である。すなわち、足回りカバー２４の前方への台座２４のはみ出しの量Ｌ１は、足回りカバー２４の後方への台座２１のはみ出しの量Ｌ２より、小さい。
【００２０】
台座２１は、切り欠き２１１、ネジ穴２１２を有する。切り欠き２１１は、後辺に配置され、後述のように、表示装置本体１０に接続するケーブル類の逃げのためのものである。ネジ穴２１２は、後述のように、錘２３をネジ止めするためのものである。
台座２１の下面には、必要に応じて、脚が取り付けられる。この脚には、弾力性のある材料から構成するのが好ましい（例えば、ゴム脚）。
【００２１】
台座２１の上面上に、一対の支柱２２，一対の錘２３，足回りカバー２４，錘カバー２５，ケーブルカバー２６，一対の取手２７が配置される。
【００２２】
一対の支柱２２が台座２１の前方Ｆ側に取り付けられている。支柱２２は、表示装置本体１０を固定するための固定具である。
支柱２２は、略コの字状（U-shape)に折り曲げられた平板材料（例えば、金属）から構成できる。支柱２２には、表示装置本体１０と固定するための取付穴２２１を有する。この取付穴２２１にボルト、ビス等を通して表示装置本体１０を固定する。
支柱２２は、やや後方Ｂ斜め方向に傾いている。この結果、既述のように、表示装置本体１０も後方Ｂ斜め方向に傾き、ユーザによる視聴が容易となる。
【００２３】
一対の錘２３（第1、第２の部材）は、台座２１の後方Ｂ側に取り付けられる。後方Ｂ側の錘２３が、台座２１の前方Ｆ側の表示装置本体１０とバランスすることで、台座２１を表示装置本体１０の前方Ｆにはみ出る量Ｌ１を低減しても、表示装置本体１０の安定的な保持が可能となる。仮に、錘２３が無かったとすると、表示装置本体１０が台座の前方Ｆ側に配置されていることから、前方Ｆ側に倒れ易く、不安定な状態となる。
【００２４】
この錘２３は、錘２３ａ〜２３ｃによって構成される。錘２３ａ〜２３ｃを個別に取り付け、取り外すことで、異なる大きさ（重さ）の表示装置本体１０に対応できる。
【００２５】
錘２３ａ〜２３ｃは、矩形の平板部材（例えば、金属板）とすることができる。簡素化、共通化（製造、取り付け、取り外し）が容易となる。
錘２３ａ〜２３ｃは、台座２１への取り付けのための貫通孔２３１を有する。例えば、貫通孔２３１にボルト（ビス）Ｂ（図５参照）を通して、台座２１のネジ穴２１２にねじ込むことで、錘２３ａ〜２３ｃを台座２１に固定できる。
【００２６】
この貫通孔２３１の数または形状によって、錘２３ａ〜２３ｃを可動とできる。例えば、貫通孔２３１を前後に長い長孔とすることで、錘２３ａ〜２３ｃを前後に移動し、この長孔の任意の位置で、固定できる。また、複数の貫通孔２３１を前後に並んで配置することで、錘２３ａ〜２３ｃを前後に移動し、異なる貫通孔２３１で、固定できる。
【００２７】
ここでは、貫通孔２３１を長孔と複数の丸孔の組み合わせとしている。すなわち、複数の丸孔を１列配置し、その両側に２つの長孔を略平行に配置している。このように、孔の列と長孔を組み合わせることによって、長孔による連続的な固定と、孔の列による複数位置での固定とを切り換えることが可能となる。連続的な位置の変更が好ましい場合は、長孔を用いて固定し、非連続的な位置の変更が好ましい場合は、孔の列を用いて固定する。
【００２８】
錘２３ａ〜２３ｃのサイズや重さを異ならせることができる。ここでは、錘２３ａ、２３ｂ（例えば、重さ：２ｋｇ）を錘２３ｃ（例えば、重さ：１ｋｇ）よりも大きく、重くしている。異なる重さの錘２３ａ〜２３ｃを用いることで、重い錘２３ａ、２３ｂによる粗調、軽い錘２３ｃによる微調が容易となる。
【００２９】
錘２３ａ〜２３ｃの重さを異ならせるには、材質（比重）を異ならせてもよいが、厚さを異ならせてもよい（これに加えて、縦横の大きさを異ならせてもよい）。
本実施形態では、錘２３ａ、２３ｂの前後方向の長さを、錘２３ｃの前後方向の長さよりも長くしている。前後方向の長さが大きくなると、可動範囲が小さくなるが、より重くなるため、錘２３としての有用性が大きくなる。また、前後方向の長さが小さくなると、可動範囲が大きくなり、重心の調節上有用である。
【００３０】
ここでは、錘２３ａ、２３ｂを前後に長くして、重く、可動範囲を小さくしている（実質的に一箇所に固定）。また、錘２３ｃを前後に短くして、比較的軽いが、可動範囲を大きくしている。図４〜図７に示すように、錘２３ｃを前方Ｆ寄り（図４，図５）、後方Ｂ寄り（図６，図７）に移動できる。
【００３１】
また、錘２３ａ、２３ｂの先端を表示装置本体１０の下に配置可能として、錘２３ａ、２３ｂの重さを稼いでいる（図５、図７参照）。一方、錘２３ｃは、長さが小さく、台座２１の後方Ｂに配置することが好ましいことから、表示装置本体１０の下に配置する必要性は小さい。
【００３２】
足回りカバー２４は、表示装置本体１０の下に配置され、その足回りをカバーする部材であり、例えば、プラスチックから構成できる。
足回りカバー２４は、底部２４１，支柱カバー部２４２，錘カバー部２４３を有する。
【００３３】
底部２４１は、略平板形状であり、表示装置本体１０の下、特に、スピーカユニット１５の下に配置される。
【００３４】
支柱カバー部２４２は、支柱２２の根本を覆う。
【００３５】
錘カバー部２４３は、錘２３の一部（先端部：錘２３ａ、２３ｂの前方Ｆ側の端部）を覆う。ここでは、足回りカバー２４（錘カバー部２４３）は、錘２３ａ、２３ｂの一部を収容し、錘２３ｃは収容しない。既述のように、錘２３ａ、２３ｂの前端は表示装置本体１０の下に配置されることから、足回りカバー２４で覆うことが美観上適する。一方、錘２３ｃは、基本的に、表示装置本体１０の下に配置されないことから、足回りカバー２４で覆う必要はない。
【００３６】
錘カバー２５は、錘２３ａ〜２３ｃを覆い、表示装置の美観に資する。ここでは、足回りカバー２４の錘カバー部２４３では覆われていない錘２３ａ、２３ｂの大部分および錘２３ｃの全部を覆う。
図２〜図７に示すように、錘カバー２５の上面は、美観の関係で、前方Ｆから後方Ｂに向かって傾斜している。
【００３７】
錘カバー２５は、その中央に表示装置本体１０（回路ユニット１４）へのケーブル類を通すための凹部２５１を有する（図３参照）。この凹部２５１は、前方Ｆから後方Ｂに配置され、台座２１の切り欠き２１１と繋がっている。すなわち、錘カバー２５は、切り欠き２１１を露出する開口を有する。
ケーブル類は、切り欠き２１１から凹部２５１を経て、錘カバー２５の前方Ｆから表示装置本体１０へと接続される。切り欠き２１１は、この箇所でケーブル類を曲げることを容易とするための逃げである。
【００３８】
ケーブルカバー２６は、略平板形状を有し、凹部２５１に配置されたケーブルを覆い、かつ保持する。
なお、錘カバー２５およびケーブルカバー２６は、ネジ等で、台座２１に固定することができる。
【００３９】
一対の取手２７が、ケーブルカバー２６の左右に配置され、スタンド２０を人の手で持って運ぶのを容易にしている。
取手２７の上面は、錘カバー２５の上面と同様、前方Ｆから後方Ｂに向かって下がっている（図２〜図４参照）。取手２７の上面と錘カバー２５の上面とを略同一面（平面）とすると、美観上好適である。
【００４０】
取手２７は、ネジ等で、台座２１に固定することができる。取手２７の上板の一部（取手蓋２７１）が取り外し可能である。取手蓋２７１を取り外して、取手２７を台座２１にネジ止めし、その後、取手蓋２７１を嵌め込むことで、取手２７を止めたネジが視認されないようにして、美観の向上を図れる。
【００４１】
（変形例）
変形例に係るスタンド２０を説明する。
図８に示すように、ここでは、錘２３ａ〜２３ｃを左右に分割すること無く、一体となっている。このように、錘２３ａ〜２３ｃを一体とすることで、錘２３の重量を確保することが容易となる。
ここでは、台座２１の切り欠き２１１に合わせて、錘２３ａ〜２３ｃは切り欠きを有する。このようにすることで、ケーブル類を曲げるときの逃げを確保できる。
【００４２】
錘２３ａ〜２３ｃを分割しない変形例を示したが、逆に、錘２３ａ〜２３ｃを３つ以上に分割することも可能である。
【００４３】
以上のように、スタンド２０は、表示装置本体１０前方Ｆからのはみ出しの量Ｌ１がゼロまたは少ないため、美観に優れ、かつ空間の効率的利用を図れる。台座２１の後方Ｂに錘２３ａ〜２３ｃを配置することで、平板形状の表示装置本体１０をその重さに抗して安定して保持できる。
なお、錘２３ａ〜２３ｃ、特に、錘２３ｃを台座２１のできるだけ後方Ｂに配置することで、錘２３ｃが軽量であっても、表示装置本体１０の保持の安定化を図れる。
【００４４】
錘２３ａ〜２３ｃ特に、錘２３ｃを、前後に可動可能としたことで、異なる大きさの表示装置本体１０に対応可能となる。例えば、６５インチ、５８インチの表示装置本体１０に対して、錘２３ａ〜２３ｃの数と位置を調節することで対応できる。
【００４５】
錘２３ａ〜２３ｃを平板（例えば、鉄板）として積み重ねたことで、低コストかつ重さの調節が容易となる。平板はプレス加工で作成でき、後加工が必要な鋳造に比べコストが安い。また、積み重ねる枚数等を変更することで、容易に重さを調節でき、一体構造のような形状の変更や作り替えを不要とできる。
【００４６】
本発明のいくつかの実施形態を説明したが，これらの実施形態は，例として提示したものであり，発明の範囲を限定することは意図していない。これら新規な実施形態は，その他の様々な形態で実施されることが可能であり，発明の要旨を逸脱しない範囲で，種々の省略，置き換え，変更を行うことができる。これら実施形態やその変形は，発明の範囲や要旨に含まれるとともに，特許請求の範囲に記載された発明とその均等の範囲に含まれる。
【符号の説明】
【００４７】
１０          表示装置本体
１１          フロント・ベゼル
１２          バック・ベゼル
１３          表示素子
１４          回路ユニット
１５          スピーカユニット
２０          スタンド
２１          台座
２１１        切り欠き
２１２        ネジ穴
２２          支柱
２２１        取付穴
２３（２３ａ〜２３ｃ）      錘
２３１        貫通孔
２３２        切り欠き
２４          足回りカバー
２４１        底部
２４２        支柱カバー部
２４３        錘カバー部
２５          錘カバー
２５１        凹部
２６          ケーブルカバー
２７          取手
２７１        取手蓋
【図１】
2018112680.tif 000003
【図２】
2018112680.tif 000004
【図３】
2018112680.tif 000005
【図４】
2018112680.tif 000006
【図５】
2018112680.tif 000007
【図６】
2018112680.tif 000008
【図７】
2018112680.tif 000009
【図８】
2018112680.tif 000010